(57)【特許請求の範囲】
【請求項１】
液透過性のトップシート、液不透過性のバックシート及び両シート間に介在された液保持性の吸収体を有し、該吸収体の前後端縁からそれぞれ外側へウエストフラップが延出している使い捨ておむつにおいて、
前記おむつの左右両側部それぞれには、前記トップシートの側部を覆うように疎水性の立体ギャザー形成用シートが配されており、各立体ギャザー形成用シートは、その外側部及び前後端部が該トップシートに固着されていると共にその内側部が自由状態となっており、該内側部の側縁に、その長手方向に沿って弾性伸縮部材が固定されており、
少なくとも一方の前記ウエストフラップの肌対向面における該ウエストフラップの端縁と該端縁が対向する前記吸収体の端縁との間の所定領域が、耐水圧１〜１０ｃｍの疎水性領域から形成されていると共に該疎水性領域の内面に該疎水領域に隣接して吸水性の親水性領域が形成されており、
前記親水性領域が親水性繊維のシートからなり、前記疎水性領域が疎水性の不織布からなり、
前記親水性繊維のシート及び前記疎水性の不織布が、前記吸収体の前記端縁を越えて吸収体上にまで延出して前記立体ギャザー形成用シートの端部を被覆している使い捨ておむつ。
【請求項２】
前記吸収体の端縁からの前記親水性繊維のシート及び前記疎水性の不織布の延出の程度が、延出した該シート及び該不織布が、おむつの着用状態において着用者の臀部に対向し得る程度である請求項１記載の使い捨ておむつ。
【発明の詳細な説明】
【０００１】
【発明の属する技術分野】
本発明は、湿疹、あせも、かぶれ等の発生を効果的に防止し得る使い捨ておむつに関する。
【０００２】
【従来の技術及び発明が解決しようとする課題】
特開２０００−１８９４５４号公報には、おむつのウエストフラップの内面に通気性の吸汗シートを接合した使い捨ておむつが記載されている。この使い捨ておむつは、湿疹、あせも、かぶれ等が発生し易いウエストフラップの内面に汗を吸収するシートを配することで、該シートによって着用者から発生する汗を吸収させて、あせも等の発生を防止しようとするものである。
【０００３】
前記使い捨ておむつによれば、着用者から発生する汗は前記吸汗シートに吸収される。しかし、汗を吸収して湿潤した状態となっている前記吸汗シートは、着用者の肌に当接した状態となっているので、着用者の肌は湿潤状態にさらされることになる。従って、あせも等の発生を十分に防止することはできない。
【０００４】
従って、本発明は、湿疹、あせも、かぶれ等の発生を効果的に防止し得る使い捨ておむつを提供することを目的とする。
【０００５】
【課題を解決するための手段】
【０００６】
本発明者らは、湿疹、あせも、かぶれ等（以下、あせも等という）の発生を十分に防止するためには、着用者から発生した汗を除去し且つ除去された汗を着用者の体から離すことが必要であることを知見した。
【０００７】
本発明は前記知見に基づきなされたもので、液透過性のトップシート、液不透過性のバックシート及び両シート間に介在された液保持性の吸収体を有し、該吸収体の前後端縁からそれぞれ外側へウエストフラップが延出している使い捨ておむつにおいて、
前記おむつの左右両側部それぞれには、前記トップシートの側部を覆うように疎水性の立体ギャザー形成用シートが配されており、各立体ギャザー形成用シートは、その外側部及び前後端部が該トップシートに固着されていると共にその内側部が自由状態となっており、該内側部の側縁に、その長手方向に沿って弾性伸縮部材が固定されており、
少なくとも一方の前記ウエストフラップの肌対向面における該ウエストフラップの端縁と該端縁が対向する前記吸収体の端縁との間の所定領域が、耐水圧１〜１０ｃｍの疎水性領域から形成されていると共に該疎水性領域の内面に該疎水領域に隣接して吸水性の親水性領域が形成されており、
前記親水性領域が親水性繊維のシートからなり、前記疎水性領域が疎水性の不織布からなり、
前記親水性繊維のシート及び前記疎水性の不織布が、前記吸収体の前記端縁を越えて吸収体上にまで延出して前記立体ギャザー形成用シートの端部を被覆している使い捨ておむつを提供することにより前記目的を達成したものである。
【０００８】
【発明の実施の形態】
以下本発明を、その好ましい実施形態に基づき図面を参照しながら説明する。図１には、本発明の第１の実施形態の使い捨ておむつをトップシート側からみた平面図が示されており、図２には図１におけるII−II線断面図が示されている。
【０００９】
図１及び図２に示すように、本実施形態の使い捨ておむつ１は、液透過性のトップシート２と、液不透過性のバックシート３と、トップシート２及びバックシート３間に介在された液保持性の吸収体４とを有して構成されている。トップシート２及びバックシート３は、おむつ１の股下領域に対応する領域がくびれた砂時計形状に湾曲形成されている。一方、吸収体４もトップシート２及びバックシート３の形状に即して股下領域に対応する領域がくびれた砂時計形状に湾曲形成されている。そして、吸収体４は、トップシート２及びバックシート３によって挟持されている。
【００１０】
バックシート３の外面は疎水性シート５で被覆されている。疎水性シート５は、吸収体４の前後端縁及び左右側縁から外方に延出している。吸収体４の前後端縁から延出した疎水性シート５は、トップシート側へ折り返されている。折り返された疎水性シート５の端縁は、吸収体４の端縁を越えて吸収体上にまで達している。これによって、吸収体４の前後端縁からそれぞれ外側へ延出する背側及び腹側のウエストフラップ６，６’が形成されている。疎水性シート５を折り返して形成されたウエストフラップ６，６’内には、おむつの幅方向へ亘って、帯状の弾性伸縮部材６ａ,６ａ’が配されている。更に背側のウエストフラップ６においては、トップシート側へ折り返された疎水性シート５の内側に、該疎水性シート５に隣接して親水性シート７が配されている。親水性シート７の一端縁の位置は疎水性シート５の折り返し部の位置とほぼ一致している。一方、親水性シート７の他端縁は吸収体４の縁端を越えて吸収体上にまで達しており、同じく吸収体上にまで達している疎水性シート５の端縁と同じ位置にある。疎水性シート５と親水性シート７とは、ホットメルト粘着剤等の接着剤によって間欠的に接合されている。更に親水性シート７は、トップシート２及び後述する立体ギャザー形成用シート９に、ホットメルト粘着剤等の接着剤によって間欠的に接合されている。
【００１１】
吸収体４の左右側縁からはトップシート２が外側へ延出しており、延出したトップシート２は、同じく吸収体の左右側縁から延出している疎水性シート５と接合されて一対のレッグフラップ８，８を形成している。レッグフラップ８，８には、糸状の３本の弾性伸縮部材８ａ，８ａが配されており、該弾性伸縮部材８ａはトップシート２及び疎水性シート５によって挟持固定されている。そして、弾性伸縮部材８ａが収縮することで、おむつ１の股下部にレッグギャザーが形成される。
【００１２】
おむつ１の左右両側部それぞれには、トップシート２の側部を覆うように立体ギャザー形成用シート９，９が配されている。各立体ギャザー形成用シート９は、その外側部及び前後端部がトップシート２に固着されていると共にその内側部が自由状態となっている。そして、該内側部の側縁に、その長手方向に沿って弾性伸縮部材９ａ，９ａが固定されている。そして弾性伸縮部材９ａが収縮することで、立体ギャザー形成用シート９の前記内側部が立ち上がり、おむつ１における着用者の肌当接面側に立体ギャザーが形成される。
【００１３】
背側のウエストフラップ６においては、着用者肌対向面の全域が、前述した疎水性シート５から形成されており、疎水性領域となっている。該疎水性シート５はその耐水圧（ＪＩＳ  Ｌ１０９２  Ａ法に準拠）が１〜１０ｃｍ、好ましくは１〜５ｃｍとなっている。つまり疎水性シート５は、無荷重下では水を殆ど或いは全く透過させないが、或る程度（好適には着用者の体圧と同程度）の荷重下において水を透過させるものとなっている。一方、背側のウエストフラップ６における着用者肌対向面を構成する疎水性シート５の内面に配された親水性シート７は吸液性のものから構成されており、肌対向面の内面の領域に親水性領域を形成している。ウエストフラップ６がこのような構成となっていることで、着用者から生じた汗に起因するあせも等を効果的に防止することができる。この理由は以下の通りである。おむつ１の装着中においては、ウエストフラップ６には着用者の体圧が加わった状態となっている。特にあせも等が発生しやすい体勢である横になった体勢においては一層体圧が加わる。この状態下に着用者から生じた汗は、疎水性シート５を透過してその下側に位置する吸水性の親水性シート７に吸収される。これによって、着用者から生じた汗が着用者から除去される。親水性シート７に吸収された汗は、疎水性シート５に阻まれて着用者の肌側に逆戻りしない。これによって、吸収された汗が着用者の体から離されることになる。これらの結果、着用者の肌がドライな状態に保たれ、図３に示すように、同図中Ａで示される着用者の腰回りにおけるあせも等の発生が効果的に防止される。
【００１４】
更に、本実施形態におむつ１においては、着用者の臀部におけるあせも等の発生も効果的に防止される。この理由は以下の通りである。通常の使い捨ておむつにおいては、着用者の臀部に対向する部位に、立体ギャザーを形成するためのシートが配されている。このシートは排泄物の横漏れを防止するためのものであるから一般に疎水性である。斯かる疎水性のシートが着用者の臀部に対向する部位に存する通常の使い捨ておむつにおいては、着用者から生じた汗の行き場がなくなり、臀部にあせも等が発生し易くなる。これに対して本実施形態のおむつ１においては、前述の疎水性シート５と親水性シート７とが、吸収体４の端縁を越えて吸収体４上にまで延出して立体ギャザー形成用シート９の端部を被覆しており、疎水性領域と親水性領域とを形成しているので、両領域による前述の作用によって着用者の臀部もドライな状態が維持される。その結果、図３中Ｂで示される着用者の臀部におけるあせも等の発生が効果的に防止される。この観点から、吸収体４の端縁からの疎水性シート５及び親水性シート７の延出の程度は、延出した両シート５，７が、おむつ１の着用状態において着用者の臀部に対向し得る程度とする。
【００１５】
疎水性シート５としては、疎水性であって前述の耐水圧を有する各種シート材料が用いられる。特に肌触り、加工性、経済性等の点から不織布を用いる。不織布の具体例としては、スパンボンド不織布（ＳＢ）やスパンボンド−メルトブローン−スパンボンド複合不織布（ＳＭＳ）が好適なものとして挙げられる。これらの不織布を構成する繊維としては、ポリプロピレン（ＰＰ）繊維やポリエチレン（ＰＥ）繊維などの各種熱可塑性樹脂からなる繊維が挙げられる。疎水性シート５の坪量は、その耐水圧等を考慮して決定される。疎水性シート５として用いられる不織布の坪量は５〜３０ｇ／ｍ2、特に７〜２３ｇ／ｍ2程度であることが好ましい。
【００１６】
親水性シート７としては、親水性であって水の吸収保持が可能なシート材料である親水性繊維のシートが用いられる。具体的には、コットン、レーヨン、パルプ等の親水性繊維を含む不織布（例えばスパンレース不織布）や紙などが好適に用いられる。斯かるシートには、該シートの親水性及び吸水性を阻害しない範囲において、少量の疎水性繊維、例えばポリプロピレン繊維やポリエチレン繊維が含まれていてもよい。親水性シート７の坪量は、その吸水容量等を考慮して決定される。親水性シート７として用いられる親水性繊維の坪量は１５〜５０ｇ／ｍ2、特に１５〜４０ｇ／ｍ2程度であることが好ましい。
【００１７】
次に、本発明の第２〜第４の実施形態について図４〜図６を参照しながら説明する。これらの実施形態は、本発明の参考例となるものである。これらの実施形態については、第１の実施形態と異なる点についてのみ説明し、特に説明しない点については、第１の実施形態に関して詳述した説明が適宜適用される。また、図４〜図６において、図１及び図２と同じ部材に同じ符号を付してある。
【００１８】
図４に示す第２の実施形態においては、ウエストフラップ６が、不織布１０と複合シート１１とから構成されている。不織布１０は吸収体４及びバックシート３の端縁を越えてバックシート３の外面を被覆している。一方、複合シート１１は吸収体４及びトップシート２の端縁を越えて吸収体４上にまで延出しており、トップシート２及び立体ギャザー形成用シート９の端部を被覆している。吸収体４の端縁からの複合シート１１の延出の程度は、延出した複合シート１１が、おむつ１の着用状態において着用者の臀部に対向し得る程度とする。ウエストフラップ６における不織布１０及び複合シート１１間には、帯状の弾性伸縮部材６ａが配されている。
【００１９】
複合シート１１の拡大断面図を図４中、円Ｃ内に示す。複合シート１１は、親水性繊維の繊維層（以下、親水性繊維層という）１１ａと疎水性繊維の繊維層（以下、疎水性繊維層という）１１ｂとが積層一体化されて単一のシートを構成している。そして、複合シート１１における疎水性繊維層１１ｂが着用者の肌対向面を構成している。疎水性繊維層１１ｂは、その耐水圧が第１の実施形態における疎水性シート５と同様になっている。疎水性繊維層１１ｂは、ウエストフラップ６の全域並びにトップシート２及び立体ギャザー形成用シート９の端部の領域において疎水性領域を形成している。一方、親水性繊維層１１ａも、ウエストフラップ６の全域並びにトップシート２及び立体ギャザー形成用シート９の端部の領域において親水性領域を形成している。
【００２０】
本実施形態のおむつ１においては、着用者から生じた汗が、所定の耐水圧を有する疎水性繊維層１１ｂを透過してその下側に位置する親水性繊維層１１ａに吸収される。これによって、着用者から生じた汗が着用者から除去される。親水性繊維層１１ａに吸収された汗は、疎水性繊維層１１ｂに阻まれて着用者の肌側に逆戻りしない。これによって、吸収された汗が着用者の体から離されることになる。これらの結果、着用者の肌はドライな状態が維持され、着用者の腰回り及び臀部におけるあせも等の発生が効果的に防止される。
【００２１】
複合シート１１における疎水性繊維層１１ｂを構成する繊維としては、第１の実施形態における疎水性シート５を構成する不織布の構成繊維と同様のものを用いることができる。一方、親水性繊維層１１ａを構成する繊維としては、第１の実施形態における親水性シート７を構成する親水性繊維のシートの構成繊維と同様のものを用いることができる。
【００２２】
疎水性繊維層１１ｂの坪量は、その耐水圧等を考慮して決定され、具体的には５〜２５ｇ／ｍ2、特に７〜１５ｇ／ｍ2程度であることが好ましい。一方、親水性繊維層１１ａの坪量は、その吸水容量等を考慮して決定され、具体的には１５〜５０ｇ／ｍ2、特に１５〜３０ｇ／ｍ2程度であることが好ましい。また、両繊維層１１ａ，１１ｂからなる複合シート１１の坪量は２０〜７５ｇ／ｍ2、特に２２〜４５ｇ／ｍ2程度であることが好ましい。
【００２３】
疎水性繊維層１１ｂと親水性繊維層１１ａとは、公知の各種接合手段によって一体化されている。例えばホットメルト粘着剤等の接着性による接着や、疎水性繊維層１１ｂと親水性繊維層１１ａとを繊維交絡によって一体化させることができる。特に、風合い、加工性、経済性等の点から、疎水性繊維層１１ｂを構成する繊維ウエブと、親水性繊維層１１ａを構成する繊維ウエブとを重ね合わせ、高圧水流による繊維交絡、即ちウエーターニードリングによって両繊維層を一体化させることが好ましい。
【００２４】
図５に示す第３の実施形態は、第２の実施形態に類似している。本実施形態が第２の実施形態と相違する点は、第２の実施形態において用いられていた複合シートに代えて、本実施形態においては塗工シート１２が用いられている点である。塗工シート１２の拡大断面図を図５中、円Ｃ内に示す。塗工シート１２は、親水性繊維のシート１２ａを基材シートとして、該シート１２ａの上面に疎水性のワックス層１２ｂが塗工形成されたものである。そして、塗工シート１２におけるワックス層１２ｂが着用者の肌対向面を構成している。ワックス層１２ｂは、その耐水圧が第１の実施形態における疎水性シート５と同様となるように形成されている。そして本実施形態においても、第１及び第２の実施形態と同様に、着用者の肌はドライな状態が維持され、着用者の腰回り及び臀部におけるあせも等の発生が効果的に防止される。
【００２５】
塗工シート１２における親水性繊維のシート１２ａを構成する繊維としては、第１の実施形態における親水性シート７を構成する親水性繊維のシートの構成繊維と同様のものを用いることができる。親水性繊維のシート１２ａ上に形成されるワックス層１２ｂは、流動パラフィンやオレフィンワックス等の公知のワックス類から形成することができる。ワックス層１２ｂには、ハマメリスエキス等の各種スキンケア成分や、ラウリルソルビタンエステル等の乳化剤を少量含有させることもできる。ワックス層１２は、例えばグラビアコーティング等の公知の塗工手段によって形成することができる。
【００２６】
塗工シート１２における親水性繊維のシート１２ａの坪量は、その吸水容量等を考慮して決定され、具体的には１５〜５０ｇ／ｍ2、特に１５〜３０ｇ／ｍ2程度であることが好ましい。一方、ワックス層１２ｂの坪量は、その耐水圧等を考慮して決定され、具体的には０．１〜２０ｇ／ｍ2、特に３〜１０ｇ／ｍ2程度であることが好ましい。塗工シート１２の坪量は１５〜７０ｇ／ｍ2、特に１８〜４０ｇ／ｍ2程度であることが好ましい。
【００２７】
図６に示す第４の実施形態においては、親水性シート７が、ウエストフラップ６にのみ配されている点が第１の実施形態と異なり、その他の点は第１の実施形態と同様となっている。本実施形態のおむつ１によれば、着用者の腰回りにおけるあせも等の発生が効果的に防止される。
【００２８】
本発明は前記実施形態に制限されない。例えば第１の実施形態においては、バックシート３の外面を被覆する疎水性シート５を吸収体の端縁から延出させ且つトップシート側に折り返すことでウエストフラップ６を形成したが、これに代えて、バックシート３の外面を被覆する疎水性シートを折り返さず、該疎水性シートとは別に、ウエストフラップの肌対向面を構成するもう１枚の疎水性シートを用い、両疎水性シート間に親水性シートを配してウエストフラップを形成してもよい。
【００２９】
また、第１の実施形態においては、背側のウエストフラップ６のみを、疎水性シート５と親水性シート７とから構成したが、これに代えて又はこれに加えて腹側のウエストフラップ６’を疎水性シート５と親水性シート７とから構成してもよい。第２〜第４の実施形態についても同様である。
【００３０】
また、第１の実施形態においては、ウエストフラップ６の全域が、疎水性シート５と親水性シート７とから構成されていたが、これに代えて、ウエストフラップ６の端縁と該端縁が対向する吸収体４の端縁との間の所定領域のみが、疎水性シート５と親水性シート７とから構成されていてもよい。第２〜第４の実施形態についても同様である。
【００３１】
〔実施例１〜３〕
図１及び図２に示すおむつを製造した。おむつのウエストフラップにおける疎水性シート及び親水性シートとして表１に示すものをそれぞれ用いた。トップシートとしてはポリエチレン／ポリエチレンテレフタレートの芯鞘型複合繊維からなるエアスルー不織布を用い、バックシートとしてはポリプロピレンフィルムからなる透湿性シートを用いた。それ以外の部材には公知の材料を用いた。
【００３２】
〔実施例４〕
図４に示すおむつを製造した。おむつのウエストフラップにおける複合シートとして表１に示すものを用いた。それ以外は実施例１と同様とした。本例は、本発明の参考例である。
【００３３】
〔実施例５〕
図５に示すおむつを製造した。おむつのウエストフラップにおける塗工シートとして表１に示すものを用いた。それ以外は実施例１と同様とした。本例は、本発明の参考例である。
【００３４】
〔比較例１〕
疎水性シートとして表１に示すものを用いた。また親水性シートは用いなかった。これ以外は実施例１と同様にしておむつを得た。
【００３５】
〔比較例２〕
図４に示すおむつを製造した。おむつのウエストフラップにおける複合シートとして表１に示すものを用いた。それ以外は実施例１と同様にしておむつを得た。
【００３６】
〔比較例３〕
親水性シートとして表１に示すものを用いた。またウエストフラップの着用者肌対向面には疎水性シートを配しなかった。それ以外は実施例１と同様にしておむつを得た。
【００３７】
〔比較例４〕
疎水性シート及び親水性シートとしてそれぞれ表１に示すものを用いた。それ以外は実施例１と同様にしておむつを得た。
【００３８】
〔性能評価〕
実施例及び比較例で得られたおむつについて、以下の方法で着装内の水分率変化を測定した。結果を表１に示す。
【００３９】
〔着装内の水分率変化〕
おむつを１０人の乳幼児モニター（１４ヶ月〜２８ヶ月）に３時間着用させた。次いで、おむつを脱がせて直ちに腰部の肌水分率をモイスチャーチェッカー（スカラ社製）を用いて測定した。対照として、同時刻における太股部の水分率を測定した。おむつを脱がせた直後の水分率と対照の水分率との差を求め、この値を水分率変化とした。
【００４０】
【表１】
0003960817.tif 000002
【００４１】
表１に示す結果から明らかなように、実施例のおむつ（本発明品）によれば着装内の水分率変化は着装外と同程度となっており、着用者の肌がドライな状態に保たれていることが判る。これに対して比較例のおむつにおいては、水分率変化の値が高く、着用者の肌が湿潤した状態になっていることが判る。
【発明の効果】
本発明の使い捨ておむつによれば、おむつ内の水分率変化が低く、湿疹、あせも、かぶれ等の発生を効果的に防止できる。特に、あせも等が発生し易い着用者の腰回りや臀部におけるあせも等の発生を防止できる。
【図面の簡単な説明】
【図１】本発明の第１の実施形態の使い捨ておむつをトップシート側からみた平面図である。
【図２】図１におけるII−II線断面図である。
【図３】図１に示すおむつを着用した場合の、あせも等の発生を防止できる部位を示す模式図である。
【図４】本発明の第２の実施形態の使い捨ておむつの断面図（図２相当図）である。
【図５】本発明の第３の実施形態の使い捨ておむつの断面図（図２相当図）である。
【図６】本発明の第４の実施形態の使い捨ておむつの断面図（図２相当図）である。
【符号の説明】
１  使い捨ておむつ
２  トップシート
３  バックシート
４  吸収体
５  疎水性シート
６  背側のウエストフラップ
７  親水性シート
１１  複合シート
１２  塗工シート
【図１】
0003960817.tif 000003
【図２】
0003960817.tif 000004
【図３】
0003960817.tif 000005
【図４】
0003960817.tif 000006
【図５】
0003960817.tif 000007
【図６】
0003960817.tif 000008